(57)【要約】      （修正有）【課題】異なる体型及び異なるニーズの使用者に適用できるエアーピローを提供する。【解決手段】エアーピローは底マット１０、頭首エアバッグ２０、サイド枕マット４０、頭首枕マット５０を有する。頭首エアバッグ２０は底マット１０の頂面中央に位置し、サイド枕マット４０は２個のサイド部４１を有し、２個のサイド部４１間には上から下へと貫通する収容設置エリア４２を有する。頭首枕マット５０はサイド枕マット４０の収容設置エリア４２中に置かれ、頭首エアバッグ２０上に位置し、枕カバー６０は取り外し可能な方式で底マット１０、頭首エアバッグ２０、サイド枕マット４０、頭首枕マット５０外を覆って包み、頭首エアバッグ２０は内部にためる気体量を変えられ、こうして頭首枕マット５０とサイド枕マット４０の高さを調整する。【選択図】図１
0003213941.tif 000002
【実用新案登録請求の範囲】
【請求項１】
エアーピローであって、底マット、頭首エアバッグ、サイド枕マット、頭首枕マット、枕カバーを有し、
前記頭首エアバッグは、前記底マットの頂面中央箇所に位置し、
前記サイド枕マットは、２個のサイド部を有し、前記２個のサイド部間には、上から下へと貫通する収容設置エリアを有し、
前記頭首枕マットは、前記サイド枕マットの収容設置エリア中に置かれ、前記頭首エアバッグ上に位置し、
前記枕カバーは、取り外し可能な方式で前記底マット、頭首エアバッグ、サイド枕マットと前記頭首枕マット外を覆って包み、
前記頭首エアバッグは、内部にためる気体量を変えられ、こうして前記頭首枕マットの高さを調整できることを特徴とする、エアーピロー。
【請求項２】
前記底マットは、中央箇所に位置する頭首エアバッグ空気充填孔を有し、
前記頭首エアバッグ空気充填孔と前記頭首エアバッグとは連通することを特徴とする、請求項１に記載のエアーピロー。
【請求項３】
前記頭首枕マットとサイド枕マットの設置位置は相互に交換でき、枕カバーにより包んで覆い固定することを特徴とする、請求項１に記載のエアーピロー。
【請求項４】
前記サイド枕マットは、連接部をさらに有し、
前記連接部は、前記２個のサイド部間に連接されることを特徴とする、請求項１に記載のエアーピロー。
【請求項５】
前記エアーピローは、２個のサイドエアバッグをさらに有し、前記底マットの頂面両側にそれぞれ位置し、
前記サイドエアバッグは、内部にためる気体量を変えられ、こうして前記サイド枕マットの高さを調整することを特徴とする、請求項１に記載のエアーピロー。
【請求項６】
前記底マットは、前記頭首エアバッグ空気充填孔両側にそれぞれ位置する２個のサイドエアバッグ空気充填孔をさらに有し、
前記サイドエアバッグ空気充填孔と前記サイドエアバッグとは連通することを特徴とする、請求項１に記載のエアーピロー。
【請求項７】
前記頭首枕マットは、一体に製造され、
前記頭首枕マットは、頭持たせ掛け部及び前記頭持たせ掛け部と一体に連接され製造される首持たせ掛け部を有し、
前記首持たせ掛け部の高さは、前記頭持たせ掛け部の高さより高いことを特徴とする、請求項１に記載のエアーピロー。
【請求項８】
前記頭首枕マットは、独立した頭持たせ掛け部及び首持たせ掛け部を有し、
前記頭首エアバッグは、頭部気室及び首部気室に区画され、
前記頭持たせ掛け部は、前記頭部気室上に位置し、前記首持たせ掛け部は、前記首部気室上に位置し、
前記頭部気室と首部気室はそれぞれ気体量の調整ができ、頭持たせ掛け部と首持たせ掛け部の高さを独立して調整できることを特徴とする、請求項１に記載のエアーピロー。
【考案の詳細な説明】
【技術分野】
【０００１】
本考案は寝具に関し、特にエアーピローに関する。
【背景技術】
【０００２】
枕は睡眠時に、使用者の頭や首を支え、睡眠時の快適性を増進するものである。
【０００３】
現在市販されている枕は、材質が異なる他は、使用者が様々に選択できるほど、いろいろなサイズは提供されていない。
しかも、違ったサイズの枕があると言っても、それは主に大人用と子供用の違いで、サイズが異なる枕間の大きさの差は極めて大きい。
けれども、人は一人一人、体型も体重も睡眠時の姿勢も皆異なる。
一人一人に適した枕のサイズ（特に枕の高さ）間の差は、極めて僅かであるかもしれないが、その僅かな高さの差が、睡眠時の快適性に大きな影響を及ぼす。
【０００４】
従来のエアーピローでは、枕体とエアバッグは一体式であり、一体式枕体は、エアバッグの高さ調整の効果を制限してしまうため、使用者は高さの微細な変化を感じることができず、しばしば調整が過度になり、枕体の高さ調整において誤差が生じる。
また、一体式エアバッグは体積が大きいため、空気の充填時にかなりの時間を要する。
【０００５】
一体式エアバッグは体積が大きいため、空気充填後、枕体が圧迫されると、エアバッグ内の気体は圧迫されていない部分へ流れ、頭部は高さの調整が感じられない。
けれども、頭部が感じられるほど高さを調整しようとすれば、エアバッグにはより多くの気体を充填しなければならず、枕体が硬くなりすぎ、睡眠の快適性に影響を及ぼす。
【０００６】
一体式エアバッグは、局部の高さを調整できないため、睡眠時の姿勢の違いに応じた高さのニーズに応えることはできない。
【考案の概要】
【考案が解決しようとする課題】
【０００７】
前記先行技術には、睡眠時の姿勢の違いに応じた高さのニーズに応えることができない欠点がある。
【課題を解決するための手段】
【０００８】
本考案は微細な高さ調整と局部の高さ調整に対するニーズに応えることができないという従来の一体式エアーピローの欠点を解決するエアーピローに関する。
【０００９】
本考案によるエアーピローは、底マット、頭首エアバッグ、サイド枕マット、頭首枕マット、枕カバーを有する。  
該頭首エアバッグは、該底マットの頂面中央箇所に位置する。
該サイド枕マットは、２個のサイド部を有し、該２個のサイド部間には、上から下へと貫通する収容設置エリアを有する。
該頭首枕マットは、該サイド枕マットの収容設置エリア中に置かれ、該頭首エアバッグ上に位置する。
該枕カバーは、取り外し可能な方式で該底マット、頭首エアバッグ、サイドエアバッグ、サイド枕マット、該頭首枕マット外を覆って包む。
【００１０】
頭首枕マットとサイド枕マットの分離式設計に、頭首エアバッグとサイドエアバッグを組み合わせることで、各部位エアバッグ内部にためる気体量を変えられ、こうして頭首枕マットとサイド枕マットの高さを細かく調整できるため、異なる体型及び異なるニーズ（睡眠時の姿勢）の使用者に適用させられる。
【図面の簡単な説明】
【００１１】
【図１】本考案一実施形態の立体分解図である。
【図２】図１に示す実施形態の立体組合せ図である。
【図３】図１に示す実施形態の組合せ断面図である。
【図４】図１に示す実施形態の作動模式図である。
【図５】図１に示す別種の形態の組合せ模式図である。
【図６】本考案別種の実施形態の立体分解図である。
【図７】本考案別種の実施形態の立体組合せ図である。
【図８】図１に示す実施形態の組合せ断面図である。
【図９】図１に示す実施形態の作動模式図である。
【図１０】本考案一実施形態の俯視図である。
【考案を実施するための形態】
【００１２】
（一実施形態）
図７、図２に示す通り、本考案一実施形態によるエアーピローは、底マット１０、頭首エアバッグ２０、サイド枕マット４０、頭首枕マット５０及び枕カバー６０を有する。
【００１３】
底マット１０は、中段箇所に位置する頭首エアバッグ空気充填孔１１を有する。
【００１４】
頭首エアバッグ２０は、底マット１０の頂面中段位置に置き、頭首エアバッグ空気充填孔１１と連通する。
頭首エアバッグ２０は、外部設備の空気充填により、内部にためる気体量を調整し、こうし頭首エアバッグ２０の高さを変える。
【００１５】
サイド枕マット４０は、ウレタンフォーム材質により一体成形される。
サイド枕マット４０は、２個のサイド部４１を有し、２個のサイド部４１間には、上から下へと貫通する収容設置エリア４２を有する。
【００１６】
頭首枕マット５０は、ウレタンフォーム材質により一体成形される。
頭首枕マット５０は、頭持たせ掛け部５１及び首持たせ掛け部５２を有する。
首持たせ掛け部５２の高さは、頭持たせ掛け部５１の高さより高い。
頭首枕マット５０の頭持たせ掛け部５１と首持たせ掛け部５２は、サイド枕マット４０の収容設置エリア４２中に置かれ、頭首エアバッグ２０上に位置する。
【００１７】
枕カバー６０は、取り外し可能な方式で底マット１０、頭首エアバッグ２０、サイド枕マット４０と頭首枕マット５０外を覆って包み、使用者と接触する面とし、また取り外して洗浄できる。
【００１８】
図３、図４に示す通り、使用者が頭首枕マット５０の高さを調整する際には、外界の空気充填設備を、底マット１０の頭首エアバッグ空気充填孔１１に通し、頭首エアバッグ２０と連結し、気体を頭首エアバッグ２０内に充填する。
これにより、頭首エアバッグ２０内の気体量は変化し、こうして頭首枕マット５０はマットの高さが調整され、使用者の頭部と首部は、自身の体型に適した快適なサポート効果を得ることができる。
【００１９】
サイド枕マット４０と頭首枕マット５０は、それぞれ分離可能な単体マットであるため、気体が頭首エアバッグ２０内に充填され、頭首枕マット５０が高さを調整されると、本考案のサイド枕マット４０と頭首枕マット５０は、従来の一体式枕体とは異なり、高さ調整の制限を受けることはない。
こうして、本考案の構造は、頭首枕マット５０の高さを調整できるだけでなく、サイド枕マット４０と頭首枕マット５０を一つずつ簡単に枕カバー６０内に入れることができる。
同時に、図５に示す通り、２個のサイド枕マット４０を、並べて組み合わせ連接し、頭首枕マット５０を最も外側に置くことで、サイド枕マット４０のブロックを拡大し、より快適な側臥ブロックを提供することができる。
【００２０】
図６、図７に示す通り、本考案の別種の実施形態では、サイド枕マット４０は、連接部４３をさらに有する。
連接部４３は、２個のサイド部４１間に連接され、底マット１０は、中段箇所に位置する頭首エアバッグ空気充填孔１１、及び頭首エアバッグ空気充填孔１１両側にそれぞれ位置する２個のサイドエアバッグ空気充填孔１２を有する。
頭首エアバッグ空気充填孔１１及びサイドエアバッグ空気充填孔１２は、頭首エアバッグ２０及びサイドエアバッグ３０とそれぞれ連通する。
頭首エアバッグとサイドエアバッグ３０は、外部設備の空気充填により、内部にためる気体量を調整し、こうして頭首エアバッグ２０とサイドエアバッグ３０の高さを変えることができる。
【００２１】
使用者がサイド枕マット４０のサイド部４１の高さを調整する際には、図８、図９に示す通り、外界の空気充填設備を底マット１０のサイドエアバッグ空気充填孔１２に通し、サイドエアバッグ３０と連結し、気体をサイドエアバッグ３０内に充填する。
これにより、サイドエアバッグ３０内の気体量は変化し、こうしてサイド枕マット４０のサイド部４１の高さは調整され、使用者は側臥時により良いサポート効果を得ることができる。
【００２２】
図１０に示す通り、上述の実施形態において、頭首枕マット５０の頭持たせ掛け部５１と首持たせ掛け部５２とは、一体に連接され製造されるが、実際には、頭首枕マット５０の頭持たせ掛け部５１と首持たせ掛け部５２とは、それぞれ独立したマット体とすることができる。
頭首エアバッグ２０は、頭部気室２１と首部気室２２に区画され、これにより頭持たせ掛け部５１は、頭部気室２１上に位置し、首持たせ掛け部５２は、首部気室２２上に位置する。
これにより、頭部気室２１と首部気室２２により、独立して空気充填量を調整され、頭持たせ掛け部５１と首持たせ掛け部５２の高さを独立して調整する効果を達成することができる。
【００２３】
前述した本考案の実施形態は本考案を限定するものではなく、よって、本考案により保護される範囲は後述される実用新案登録請求の範囲を基準とする。
【符号の説明】
【００２４】
１０  底マット、
１１  頭首エアバッグ空気充填孔、
１２  サイドエアバッグ空気充填孔、
２０  頭首エアバッグ、
２１  頭部気室、
２２  首部気室、
３０  サイドエアバッグ、
４０  サイド枕マット、
４１  サイド部、
４２  収容設置エリア、
４３  連接部、
５０  頭首枕マット、
５１  頭持たせ掛け部、
５２  首持たせ掛け部、
６０  枕カバー。
【図１】
0003213941.tif 000003
【図２】
0003213941.tif 000004
【図３】
0003213941.tif 000005
【図４】
0003213941.tif 000006
【図５】
0003213941.tif 000007
【図６】
0003213941.tif 000008
【図７】
0003213941.tif 000009
【図８】
0003213941.tif 000010
【図９】
0003213941.tif 000011
【図１０】
0003213941.tif 000012
【手続補正書】
【提出日】平成29年10月13日(2017.10.13)
【手続補正１】
【補正対象書類名】実用新案登録請求の範囲
【補正対象項目名】全文
【補正方法】変更
【補正の内容】
【実用新案登録請求の範囲】
【請求項１】
エアーピローであって、底マット、頭首エアバッグ、サイド枕マット、頭首枕マット、枕カバーを有し、
前記頭首エアバッグは、前記底マットの頂面中央箇所に位置し、
前記サイド枕マットは、２個のサイド部を有し、前記２個のサイド部間には、上から下へと貫通する収容設置エリアを有し、
前記頭首枕マットは、前記サイド枕マットの収容設置エリア中に置かれ、前記頭首エアバッグ上に位置し、
前記枕カバーは、取り外し可能な方式で前記底マット、頭首エアバッグ、サイド枕マットと前記頭首枕マット外を覆って包み、
前記頭首エアバッグは、内部にためる気体量を変えられ、こうして前記頭首枕マットの高さを調整できることを特徴とする、エアーピロー。
【請求項２】
前記底マットは、中央箇所に位置する頭首エアバッグ空気充填孔を有し、
前記頭首エアバッグ空気充填孔と前記頭首エアバッグとは連通することを特徴とする、請求項１に記載のエアーピロー。
【請求項３】
前記頭首枕マットとサイド枕マットの設置位置は相互に交換でき、枕カバーにより包んで覆い固定することを特徴とする、請求項１に記載のエアーピロー。
【請求項４】
前記サイド枕マットは、連接部をさらに有し、
前記連接部は、前記２個のサイド部間に連接されることを特徴とする、請求項１に記載のエアーピロー。
【請求項５】
前記エアーピローは、２個のサイドエアバッグをさらに有し、前記底マットの頂面両側にそれぞれ位置し、
前記サイドエアバッグは、内部にためる気体量を変えられ、こうして前記サイド枕マットの高さを調整することを特徴とする、請求項１に記載のエアーピロー。
【請求項６】
前記底マットは、前記頭首エアバッグ空気充填孔両側にそれぞれ位置する２個のサイドエアバッグ空気充填孔をさらに有し、
前記サイドエアバッグ空気充填孔と前記サイドエアバッグとは連通することを特徴とする、請求項２に記載のエアーピロー。
【請求項７】
前記頭首枕マットは、一体に製造され、
前記頭首枕マットは、頭持たせ掛け部及び前記頭持たせ掛け部と一体に連接され製造される首持たせ掛け部を有し、
前記首持たせ掛け部の高さは、前記頭持たせ掛け部の高さより高いことを特徴とする、請求項１に記載のエアーピロー。
【請求項８】
前記頭首枕マットは、独立した頭持たせ掛け部及び首持たせ掛け部を有し、
前記頭首エアバッグは、頭部気室及び首部気室に区画され、
前記頭持たせ掛け部は、前記頭部気室上に位置し、前記首持たせ掛け部は、前記首部気室上に位置し、
前記頭部気室と首部気室はそれぞれ気体量の調整ができ、頭持たせ掛け部と首持たせ掛け部の高さを独立して調整できることを特徴とする、請求項１に記載のエアーピロー。